(57)【特許請求の範囲】
【請求項１】
天井に設けた埋込孔に臨んで開口部が設けられ、前記埋込孔を通して埋込配設される器具本体と、前記開口部に臨んで器具本体の内部に配設される反射鏡と、反射鏡の内部に配設されるランプがランプ軸を下向きにして装着されるランプソケットとを備え、前記器具本体は、天井面に沿って延出して天井裏に配設された断熱材を支持する天板が上部に取着され、前記反射鏡は、天井裏に配線される電線と前記ランプソケットからの電線とがそれぞれ接続される端子台を保持する補助天板が上部に取着され、当該補助天板は、取付状態で前記天板と同一方向に延出するとともに当該天板の下側に配置されることを特徴とする照明器具。
【請求項２】
前記天板は、前記補助天板よりも大きい寸法に形成されたことを特徴とする請求項１記載の照明器具。
【請求項３】
前記天板は、端縁が下側に折り曲げられたことを特徴とする請求項１又は２の何れか１項に記載の照明器具。
【発明の詳細な説明】
【技術分野】
【０００１】
本発明は、照明器具に関するものである。
【背景技術】
【０００２】
従来より、天井に設けた埋込孔を通して埋込配設される埋込型の照明器具が提供されている（例えば特許文献１参照）。この照明器具Ｓ’は、図８（ａ）に示すように下面が開口した有底円筒状の器具本体１０１と、下面が開口した有底円筒状であって器具本体１０１の内部に配設される反射鏡１０２とを備えている。器具本体１０１の側壁には切欠部１０１ｂが設けられ、また器具本体１０１の底部には切欠部１０１ｂと反対方向に延出する矩形板状の天板１０５が取り付けられており、天板１０５の先端側の下面には端子台１０７（図８（ｂ）参照）が取り付けられている。一方、反射鏡１０２の側壁にはランプ軸が斜め下方となるように傾斜する形でランプソケット１０４が取着されており、このランプソケット１０４に装着されたランプ１０３が反射鏡１０２の内部に斜めに配置されている（図８（ｂ）参照）。また、反射鏡１０２の底部には、ランプソケット１０４の突出方向と同一方向に延出する矩形板状の補助天板１０６が取り付けられている。
【０００３】
この照明器具Ｓ’では、ランプソケット１０４を天板１０５と反対側に突出させているため、ランプソケット１０４が断熱材Ｙと干渉しないように補助天板１０６で覆っているが（図８（ｂ）参照）、補助天板１０６にも断熱材Ｙの負荷がかかるため、固定ねじ１１２を用いて反射鏡１０２を器具本体１０１に固定させることで保持力を確保している。
【０００４】
ここで、均一な配光を得ようとする場合、ランプソケットを器具の中央に配置してランプを真下に向ける構造が望ましいが、上述の図８に示した照明器具Ｓ’では、反射鏡１０２を器具本体１０１に固定するための固定ねじ１１２を器具の中央に配置しているため、ランプソケット１０４を器具の中央に配置することができず、その結果均一な配光を得ることができなかった。
【０００５】
そこで、均一な配光を得るために、ランプソケット１０４を反射鏡１０２の底部中央に配置したものが提案されている（例えば図９参照）。この照明器具Ｓ’では、端子台１０７が器具本体１０１に取着した天板１０５に設けられるとともに、ランプソケット１０４が反射鏡１０２に設けられており、器具本体１０１を天井に固定する際には反射鏡１０２を器具本体１０１から一旦取り外す必要があるため、端子台１０７とランプソケット１０４の間を接続する電線１１１を長くする必要があった。
【特許文献１】特開２００７−９５３９４号公報（段落［００２６］−段落［００３４］、及び、第１図）
【発明の開示】
【発明が解決しようとする課題】
【０００６】
上述の図９に示した照明器具Ｓ’は、ランプソケット１０４を反射鏡１０２の底部中央に配置しているため、均一な配光を得られるものではあるが、端子台１０７とランプソケット１０４の間を接続する電線１１１の余長分が長いため、反射鏡１０２と天板１０５の間にこの余長分を収納するための収納スペースが必要になり、その結果器具の高さ寸法を低くすることができなかった。また、施工の際に、余長分を器具本体１０１と反射鏡１０２の間に噛み込んで傷つけてしまう可能性があった。
【０００７】
本発明は上記問題点に鑑みて為されたものであり、その目的とするところは、高さ寸法を低く抑えることができ、且つ、均一な配光が得られる照明器具を提供することにある。
【課題を解決するための手段】
【０００８】
請求項１の発明は、天井に設けた埋込孔に臨んで開口部が設けられ、埋込孔を通して埋込配設される器具本体と、開口部に臨んで器具本体の内部に配設される反射鏡と、反射鏡の内部に配設されるランプがランプ軸を下向きにして装着されるランプソケットとを備え、器具本体は、天井面に沿って延出して天井裏に配設された断熱材を支持する天板が上部に取着され、反射鏡は、天井裏に配線される電線とランプソケットからの電線とがそれぞれ接続される端子台を保持する補助天板が上部に取着され、当該補助天板は、取付状態で天板と同一方向に延出するとともに当該天板の下側に配置されることを特徴とする。
【０００９】
請求項２の発明は、天板は、補助天板よりも大きい寸法に形成されたことを特徴とする。
【００１０】
請求項３の発明は、天板は、端縁が下側に折り曲げられたことを特徴とする。
【発明の効果】
【００１１】
請求項１の発明によれば、端子台を補助天板に保持させることによって、端子台およびランプソケットがともに反射鏡側に設けられることになり、その結果両者間を接続する電線を長くしなくてもいいので、従来例のように反射鏡と天板の間に電線の余長分を収納する収納スペースを設けなくてもよく、その分高さ寸法を低くすることができ、さらに電線が短くなることで反射鏡を器具本体に組み込む際に電線を噛み込んで傷つけてしまうのを防止できるとともに電線を節約することができるという効果がある。また、反射鏡に取着した補助天板を器具本体に取着した天板と同一方向であって且つ上記天板の下側に配置することによって、補助天板には断熱材からの力が加わることがなく、固定ねじ以外の方法で反射鏡を器具本体に固定することができるから、ランプソケットを反射鏡の上面中央に配置することができ、その結果均一の配光を得ることができるという効果がある。
【００１２】
請求項２の発明によれば、補助天板の上側に配置される天板を補助天板よりも大きい寸法に形成することによって、断熱材を支持することで形成される空間を大きくすることができるので、空間内に多くの熱を放熱することができ、その結果照明器具の温度上昇を抑えることができるという効果がある。
【００１３】
請求項３の発明によれば、天板の端縁を下側に折り曲げることによって、断熱材を天板上に配置する際に断熱材が天板に引っかかることがなくなるから施工が容易になり、また天板自体の強度アップを図ることができるという効果がある。
【発明を実施するための最良の形態】
【００１４】
以下に本発明の実施形態を図１〜図７に基づいて説明する。本発明に係る照明器具Ｓは、例えば図７に示すように天井Ｘに設けた埋込孔２１を通して埋込配設され、室内や廊下などを照明するためのダウンライトとして用いられる。なお、以下の説明では特に断りがない限り、図３中の矢印ａ−ｂの方向を上下方向、矢印ｃ−ｄの方向を左右方向として説明を行う。
【００１５】
本実施形態の照明器具Ｓは、図１〜図３に示すように天井に設けた埋込孔（図示せず）を通して埋込配設される器具本体１と、器具本体１の内部に配設される反射鏡２と、反射鏡２の内部に配設されるランプ３と、ランプ３が装着されるランプソケット４と、器具本体１の上面（底面）に取着された天板５と、反射鏡２の上面（底面）に取着された補助天板６とを備えている。
【００１６】
器具本体１は、下側に開口部１ｅを有する有底円筒状に形成され、器具本体１の側壁には、反射鏡２に取着した補助天板６を外部に導出するための切欠部１ｂが上面にかけて設けられている。また、器具本体１の側壁には、上下方向に沿って開口した略Ｔ字状の挿通溝１ｃ、１ｃが径方向において互いに対向する形でそれぞれ貫設され、各挿通溝１ｃには器具本体１を天井に固定するための取付金具９が上下方向に移動自在に設けられており、各取付金具９は上下方向における所望の位置で固定できるようになっている。すなわち、器具本体１を天井に固定する際には２個の取付金具９を用いて固定することになる。
【００１７】
さらに、器具本体１の側壁には、反射鏡２を器具本体１に取り付けるための取付ばね８が係合する２個１組の係合爪１ｄ、１ｄが、器具本体１の側壁の一部を切り起こして設けられている（図４参照）。なお、２個１組の係合爪１ｄ、１ｄは、器具本体１の径方向において互いに対向する形で２組設けられており、各組の係合爪１ｄ、１ｄに対応する取付ばね８をそれぞれ係止させることによって、反射鏡２が器具本体１に取り付けられるようになっている。ここにおいて、器具本体１の開口部１ｅの開口端縁には外側に向かって延出する鍔部が全周に渡って設けられており、この鍔部にはリング状に形成された合成樹脂製のパッキン１０が全周に渡って取着されている。なお、上述した各取付金具９は、器具本体１内に収納自在に設けられており、且つ、図示しないばね体により外側に弾性付勢されている。而して、器具本体１を天井に埋込配設する際には、両取付金具９、９を収納させた状態で器具本体１を埋込孔に挿入し、挿入後両取付金具９、９が拡開することで器具本体１が天井に仮固定されるようになっている。
【００１８】
反射鏡２は、下側に開口部２ｃを有する有底円筒状に形成され、反射鏡２の上面中央にはランプソケット４が、ランプ３の装着部を下側に向けた状態で取着されている。また、反射鏡２の側壁において上記の各組の係合爪１ｄ、１ｄに対応する部位には、当該１組の係合爪１ｄ、１ｄと係合する取付ばね８がそれぞれ取着されている。ここにおいて、反射鏡２の開口部２ｃの開口端縁には外側に向かって延出する鍔部２ｂが全周に渡って設けられており、組立状態において器具本体１に取着したパッキン１０が鍔部２ｂの上面に当接するようになっている（図２参照）。なお、反射鏡２の外形寸法は上記の器具本体１の外形寸法よりも小さい寸法に設定されており、組立状態で反射鏡２が器具本体１の内部に収納されるようになっている。
【００１９】
ここで、取付ばね８は、図４に示すように互いに対向する形で配置された略く字状の一対の係合片８ａ、８ａと、両端部が各係合片８ａの先端部にそれぞれ接続されることで両係合片８ａ、８ａを連結する略Ｖ字状の連結片８ｂとで一体に形成され、反射鏡２を器具本体１の内部に組み込んだ状態では、各係合片８ａの下片が対応する係合爪１ｄと係合することで反射鏡２が器具本体１に保持されるようになっている（図４参照）。
【００２０】
ランプ３は、例えばハロゲンランプからなり、図２に示すように上側端部には口金３ａが設けられており、この口金３ａを介してランプソケット４に装着されるとともに商用電源が供給される。
【００２１】
天板５は、図３および図５に示すように左右方向に延出する略矩形板状の天板本体５ａを有し、天板本体５ａの幅方向（図３中の紙面に垂直な方向）両端縁には折り曲げ片５ｂ、５ｂが下方に向かってそれぞれ折曲形成され、さらに天板本体５ａの長手方向一端側（図３中の左右方向右側）の端縁には折り曲げ片５ｃが下方に向かって折曲形成されている。すなわち、本実施形態では、天板本体５ａの端縁を下方に折り曲げることによって、断熱材Ｙを天板５上に配置する際に断熱材Ｙが天板５に引っかかることがなくなるから施工が容易になり、また天板５自体の強度アップを図ることができる。ここにおいて、天板５は、図３に示すように延出方向が切欠部１ｂと同じ方向になるように配置され、天板本体５ａの幅方向両側に設けた取付片５ｄ、５ｄ（図５（ａ）参照）により器具本体１の上面（底面）の両サイドでねじ固定される。なお、天板本体５ａの幅寸法は、図５（ｂ）に示すように器具本体１から離れるにつれて幅広となるように形成されている。
【００２２】
補助天板６は、図１および図３に示すように左右方向に延出する断面視コ字型の補助天板本体６ａを有し、補助天板本体６ａの先端側には端子台７が下向きに取り付けられている。なお、端子台７の本体側面には電線１１および電源線（図示せず）の各芯線がそれぞれ接続される複数の電線接続孔７ａが設けられており（図４参照）、本体内部には各電線接続孔７ａを臨むように周知の速結構造の端子が収納されている。而して、各電線接続孔７ａに電線を挿入するだけで芯線が対応する端子に接続されるようになっている。ここにおいて、補助天板６は、固定ねじなどの締結手段を用いて反射鏡２の上面（底面）に取り付けられ、反射鏡２を器具本体１に組み込んだ状態では、図５（ｂ）に示すように補助天板６が、天板５と同一方向に延出するとともに天板５の下側に配置される。また、天板５は、図５（ｂ）に示すように補助天板６よりも大きい寸法に形成されており、図７に示すように照明器具Ｓを天井Ｘに埋込配設した状態では、補助天板６には断熱材Ｙからの力が加わらないようになっている。したがって、補助天板６の取付強度が小さくてすみ、補助天板６は反射鏡２の上面外側部で取り付けられている。なお、上述した端子台７とランプソケット４の間は、図３に示すように電線１１により電気的に接続され、電線１１を介してランプソケット４に商用電源が供給されるようになっている。
【００２３】
次に、本実施形態の照明器具Ｓの施工手順について説明する。なお、以下の説明では、端子台７とランプソケット４の間が予め電線１１により接続されているものとして説明する。まず、器具本体１から反射鏡２を取り外す。このとき、鍔部２ｂを持って反射鏡２を下側に引き下げた後、各取付ばね８の両係合片８ａ、８ａを内側（互いに近づく方向）に撓めた状態でさらに引き下げると、各係合片８ａと対応する係合爪１ｄとの係合状態が解除され、反射鏡２が器具本体１から取り外される。次に、天井Ｘに設けた埋込孔２１から電源線（図示せず）を下方に引き出すとともに、両取付金具９、９を器具本体１内に収納した状態で器具本体１を埋込孔２１に下方から挿入して器具本体１を天井Ｘに仮固定した後、器具本体１の内側から各取付金具９を下側に移動させて器具本体１を天井Ｘに本固定する。なおこのとき、電源線は、器具本体１に設けた切欠部１ｂを通して下方に引き出され、また各取付金具９とパッキン１０との間で天井材を挟持することによって器具本体１が天井Ｘに固定される。
【００２４】
さらに、引き出した電源線の各芯線を端子台７にそれぞれ接続した後、補助天板６を器具本体１の切欠部１ｂから外側に導出するとともに、反射鏡２を器具本体１の内部に挿入する（図６（ａ）中の矢印Ａ方向）。なおこのとき、図６（ａ）に示すように各取付ばね８の連結片８ｂが対応する１組の係合爪１ｄ、１ｄに接触し、さらに反射鏡２を押し込むと連結片８ｂの両側片が内側に撓められ、両側片の頂点が各係合爪１ｄを越えると各係合片８ａが対応する係合爪１ｄに接触する。さらに反射鏡２を押し込むと各係合片８ａが内側に撓められ、各係合片８ａの頂点が対応する係合爪１ｄを越えると各係合片８ａの下片と対応する係合爪１ｄがそれぞれ係合することで反射鏡２が器具本体１に保持される（図４および図６（ｂ）参照）。そして、最後にランプ３を下側からランプソケット４に装着すると、照明器具Ｓの施工が完了する。なおこのとき、ランプ３はランプ軸が下向きとなるようにランプソケット４に装着される（図２参照）。ここにおいて、ランプ交換の際には、既設のランプ３を下側から取り外すとともに、新しいランプ３をランプソケット４に装着することで容易に交換することができる。
【００２５】
そして、断熱材Ｙを天井裏に施工すると、図７に示すように断熱材Ｙが照明器具Ｓの天板５により下側から支持されて、照明器具Ｓの発熱部分に接触しないようになっている。而して、本実施形態の照明器具Ｓでは、上述のように補助天板６の上側に配置される天板５を補助天板６よりも大きい寸法に形成しており、断熱材Ｙを支持することで形成される空間ａを大きくすることができるので、空間ａ内に多くの熱を放熱することができ、その結果照明器具Ｓの温度上昇を抑えることができる。
【００２６】
さらに、端子台７を補助天板６に保持させることによって端子台７およびランプソケット４がともに反射鏡２に設けられることになり、その結果両者間を接続する電線１１を長くしなくてもいいので、従来例のように反射鏡と天板の間に電線の余長分を収納する収納スペースを設けなくてもよく、その分高さ寸法を低くすることができ、さらに電線１１が短くなることで反射鏡２を器具本体１に組み込む際に電線１１を噛み込んで傷つけるのを防止できる（すなわち、図４のように電線１１が噛み込むことがない。）とともに電線１１を節約することができる。また、反射鏡２に取着した補助天板６を器具本体１に取着した天板５と同一方向であって且つ上記天板５の下側に配置することによって、補助天板６には断熱材Ｙからの力が加わることがなく、取付ばね８および取付ばね８が係合する１組の係合爪１ｄ、１ｄで反射鏡２を器具本体１に固定することができるから、ランプソケット４を反射鏡２の上面中央に配置することができ、その結果均一の配光を得ることができる。
【図面の簡単な説明】
【００２７】
【図１】本実施形態の照明器具の分解斜視図である。
【図２】同上の一部省略せる断面図である。
【図３】同上の分解図である。
【図４】同上の正面図である。
【図５】同上に用いられる天板を示し、（ａ）は斜視図、（ｂ）は器具本体に取り付けた状態の上面図である。
【図６】（ａ）、（ｂ）は同上に用いられる反射鏡の器具本体への取付状態を説明する説明図である。
【図７】同上の天井への取付状態を示す状態図である。
【図８】従来例の照明器具を示し、（ａ）は分解斜視図、（ｂ）は天井への取付図である。
【図９】従来例の別の照明器具を示す分解図である。
【符号の説明】
【００２８】
１  器具本体
１ｅ  開口部
２  反射鏡
３  ランプ
４  ランプソケット
５  天板
６  補助天板
７  端子台
１１  電線
２１  埋込孔
Ｓ  照明器具
Ｘ  天井
Ｙ  断熱材
【図１】
0005134423.tif 000002
【図２】
0005134423.tif 000003
【図３】
0005134423.tif 000004
【図４】
0005134423.tif 000005
【図５】
0005134423.tif 000006
【図６】
0005134423.tif 000007
【図７】
0005134423.tif 000008
【図８】
0005134423.tif 000009
【図９】
0005134423.tif 000010